(57)【要約】【課題】  作業者がスクリーンの設置された場所にまで出向くことなく、該スクリーンに堆積した塵芥を取り除くことのできる発電用水路系におけるスクリーンの除塵方法を提供する。【解決手段】  本発明の発電用水路系におけるスクリーンの除塵方法は、給水源と水力発電設備１とを繋ぐ取水路系２ａと、該取水路系２ａから分岐して該取水路系２ａの水位が所定水位より高くなった場合に余剰な水を排出する余水路系２ｂとを備え、取水路系２における余水路系２ｂとの分岐位置より下流側にスクリーン３が配置された発電用水路系２のスクリーン３の除塵方法であって、取水路系２ａにおけるスクリーン３の上流側の水位が該スクリーン３の下流側の水位より高い場合、発電機１０の出力を少なくとも一回下げるようにする。【選択図】図１
2012214978.tif 000002
【特許請求の範囲】
【請求項１】
給水源と水力発電設備とを繋ぐ取水路系と、該取水路系から分岐して該取水路系の水位が所定水位より高くなった場合に余剰な水を排出する余水路系とを備え、前記取水路系における余水路系との分岐位置より下流側にスクリーンが配置された発電用水路系におけるスクリーンの除塵方法であって、取水路系におけるスクリーンの上流側の水位が下流側の水位より高い場合、発電機の出力を少なくとも一回下げるようにすることを特徴とする発電用水路系におけるスクリーンの除塵方法。
【請求項２】
前記スクリーンの上流側の水位が下流側の水位より高い場合、前記発電機の出力を段階的に複数回下げることを特徴とする請求項１に記載の発電用水路系におけるスクリーンの除塵方法。
【請求項３】
前記スクリーンとして、幅方向に所定間隔で配設された複数の棒材を備えたバースクリーンを採用し、各棒材の断面形状を上流側から下流側に向かって先細りしたくさび形状にすることを特徴とする請求項１又は２に記載の発電用水路系におけるスクリーンの除塵方法。
【請求項４】
発電中の前記スクリーンの上流側と下流側との水位差が所定時間の間で所定範囲内である場合には、発電状態を維持することを特徴とする請求項１に記載の発電用水路系におけるスクリーンの除塵方法。
【発明の詳細な説明】
【技術分野】
【０００１】
本発明は、水力発電を行うための水力発電設備に水を供給する発電用水路系におけるスクリーンの除塵方法に関する。
【背景技術】
【０００２】
水力発電を行うための水力発電設備には、水路式水力発電設備がある。かかる水路式水力発電設備は、図５に示す如く、河川や、堰堤、貯水池等の給水源から適正流量の水を取水するための発電用水路系２が繋がっている。該発電用水路系２は、給水源と水力発電設備１とを繋ぐ取水路系２ａと、取水路系２ａから分岐した余水路系２ｂとを備えており、取水路系２ａから水力発電設備１内の発電機１０に水を供給して該発電機１０を駆動するようにしている。
【０００３】
前記余水路系２ｂは、取水路系２ａから分岐しており、発電機１０に過剰な水が供給される虞がある場合や、発電負荷が小さい場合（発電機１０に供給される水量が取水路系２ａの上流側より少ない場合）に取水路系２ａから余剰な水を逃がすようになっている。
【０００４】
ところで、上記のような給水源からの水を取水路系２ａから水力発電設備１の発電機１０に供給するに際し、給水源に落ちた落ち葉や草木等の塵芥が取水路系２ａに入り込むことがある。取水路系２ａに入り込んだ塵芥を放置すると、塵芥が取水路系２ａを詰まらせたり、発電機１０に流れ込んで発電機１０を損傷させたりして、発電機１０の出力を低下させる等、発電に支障をきたすことがある。このため、水力発電設備１に繋がる発電用水路系２は、給水源から流れ込んだ塵芥が水力発電設備１（発電機１０）に流れ込むのを防止すべく、余水路系２ｂの分岐位置よりも下流側にある取水路系２ａ内に塵芥を捕捉するためのスクリーン３が設けられている。
【０００５】
そして、スクリーン３に多量の塵芥が堆積すると取水路系２ａ内での水流が抑止されて発電機１０の出力に影響を与えるとして、一般的には、動力や水力によって駆動する除塵機を取水路系２ａに設置し、スクリーン３に堆積した塵芥を自動的に取り除くようにしている（例えば、特許文献１参照）。
【先行技術文献】
【特許文献】
【０００６】
【特許文献１】特開２００７−３２１４８４号公報
【発明の概要】
【発明が解決しようとする課題】
【０００７】
ところで、水力発電設備１に繋がる発電用水路系２（取水路系２ａ）は、山奥や交通不便な場所に設けられることが多く、地理的な条件により、除塵機を設置するスペースを確保できない場合がある。この場合、作業者がスクリーン３のある場所にまで直接出向いてスクリーン３に堆積した塵芥を除去しなければならないが、取水路系２ａ（スクリーン３）が山奥や交通不便な場所に設置されるため、作業者が取水路系２ａ（スクリーン３）のある場所にまで容易に行くことができないことからメンテナンスを定期的且つ頻繁に行うことができず、その結果として、スクリーン３を目詰まりさせてしまうことがある。
【０００８】
また、動力や水力で駆動する除塵機を設置すると、定期的且つ頻繁にメンテナンスする必要があるが、除塵機が山奥や交通不便な場所に設置されると、地理的な条件により、作業者が取水路系２ａ（除塵機）のある場所にまで容易に行くことができないことからメンテナンスを定期的且つ頻繁に行うことができず、その結果として、スクリーン３を目詰まりさせてしまうことがある。
【０００９】
従って、水力発電設備１に対して水を供給する取水路系２ａ（特に山奥等に設置される取水路系２ａ）では、除塵機の有無に関係なくスクリーン３の目詰まりが発生し易く、該水力発電設備１（発電機１０）に適正な水量の水を供給できずに必要十分な発電をさせることができなくなることがあった。
【００１０】
そこで、本発明は、斯かる実情に鑑み、作業者がスクリーンの設置された場所にまで出向くことなく、該スクリーンに堆積した塵芥を取り除くことのできる発電用水路系におけるスクリーンの除塵方法を提供することを課題とする。
【課題を解決するための手段】
【００１１】
本発明に係る発電用水路系におけるスクリーンの除塵方法は、給水源と水力発電設備とを繋ぐ取水路系と、該取水路系から分岐して該取水路系の水位が所定水位より高くなった場合に余剰な水を排出する余水路系とを備え、前記取水路系における余水路系との分岐位置より下流側にスクリーンが配置された発電用水路系におけるスクリーンの除塵方法であって、取水路系におけるスクリーンの上流側の水位が下流側の水位より高い場合、発電機の出力を少なくとも一回下げるようにすることを特徴とする。
【００１２】
上記方法によれば、スクリーンの上流側の水位が下流側の水位より高い場合、発電機の出力を少なくとも一回下げるようにするため、取水路系から発電機に行くべき水が行き場がなくなって逆流し（水撃が発生し）、水撃によって余水路系の分岐位置より下流側に配置されたスクリーン近傍の水が波打つようになり、スクリーンに対して堆積した塵芥が上流側に押し戻されることになる。すなわち、塵芥は浮遊するため、該塵芥は水面近くでスクリーンに堆積して当該部分での水の流れを遮ってしまう。そのため、スクリーンの上流側と下流側との水位差が大きくなった場合に、スクリーンに塵芥が堆積していると判断することができる。従って、上述の如く、スクリーンの上流側の水位が下流側の水位より高い場合に、発電機の出力を少なくとも一回下げて取水路系の水の流れを逆流させる（水撃を発生させる）ことで、上流側の水面近くでスクリーンに堆積した塵芥（水の流れを阻害していた塵芥）が上流側に押し戻されることになる。
【００１３】
そして、この状態では発電機の発電量の低下に伴って、取水路系の水位が上昇しているため、上流側に押し戻された塵芥が余水路系から排出されることになる。従って、作業者がスクリーンの設置された場所にまで出向くことなく、該スクリーンに堆積した塵芥を取り除くことができる。
【００１４】
また、本発明に係る発電用水路系におけるスクリーンの除塵方法において、前記スクリーンの上流側の水位が下流側の水位より高い場合、前記発電機の出力を段階的に複数回下げることが好ましい。このようにすれば、水撃の発生回数が多くなるため、スクリーンに堆積した塵芥が上流側に押し戻されやすくなる。
【００１５】
また、前記スクリーンとして、幅方向に所定間隔で配設された複数の棒材を備えたバースクリーンを採用し、各棒材の断面形状を上流側から下流側に向かって先細りしたくさび形状にすることが好ましい。このようにすれば、棒材同士の間隔が下流側から上流側に向けて狭くなるため、スクリーンの下流側から上流側に向けて流れる（逆流する）水流を速くすることができる。これにより、水撃を大きくすることができ、スクリーンに対して堆積した塵介をさらに押し戻しやすくすることができる。
【００１６】
また、発電中の前記スクリーンの上流側と下流側との水位差が所定時間の間で所定範囲内である場合には、発電状態を維持することが好ましい。このようにすれば、発電機の運転開始や出力の変動時にスクリーンの上流側と下流側との水位差が発生しても、発電機の出力を不用意に低下させたり停止させたりすることを防止することができる。
【発明の効果】
【００１７】
以上のように、発電用水路系におけるスクリーンの除塵方法によれば、作業者がスクリーンの設置された場所にまで出向くことなく、該スクリーンに堆積した塵芥を取り除くことのできる発電用水路系におけるスクリーンの除塵方法を提供することができるといった優れた効果を奏し得る。
【図面の簡単な説明】
【００１８】
【図１】本発明の一実施形態に係る水路式水力発電設備の概略図を示す。
【図２】同実施形態に係る水路式水力発電設備の図１のＡ部における概略部分平面図を示す。
【図３】同実施形態に係る水路式水力発電設備に設置されたスクリーンの部分平面図を示す。
【図４】同実施形態に係る水路式水力発電設備における発電用水路系におけるスクリーンの除塵方法のタイムチャートを示す。
【図５】従来の水路式水力発電設備の概略側面図を示す。
【発明を実施するための形態】
【００１９】
以下、本発明の一実施形態に係る発電用水路系に配置されたスクリーンの除塵方法について説明する。
【００２０】
図１及び図２に示すように、水力発電設備１に必要な水量の水を供給する発電用水路系２は、給水源（図示しない）と水力発電設備１とを繋ぐ取水路系２ａと、該取水路系２ａに分岐された余水路系２ｂとを備える。取水路系２ａは、川や、堰堤、貯水池等の給水源（図示せず）に繋がる主水路２０ａと、該主水路２０ａの最下流部に対して流体的に接続されて水力発電設備１の発電機１０に接続された水圧鉄管２１ａとを備える。
【００２１】
具体的には、取水路系２ａは、上流側において、主水路２０ａを介して川や、堰堤、貯水池等の給水源に連通されるとともに、下流側において、水圧鉄管２１ａを介して発電機１０に連通されている。給水源から主水路２０ａを介して供給された水は、水圧鉄管２１ａを介して発電機１０に供給され、該発電機１０を駆動する。
【００２２】
また、本実施形態に係る発電用水路系２は、給水源から主水路２０ａに供給された水に含まれる塵介を捕捉すべく、主水路２０ａに配置されたスクリーン３を備える。本実施形態においては、スクリーン３は、主水路２０ａと水圧鉄管２１ａとの接続部の上流側に設けられている。
【００２３】
そして、本実施形態においては、余水路系２ｂは、スクリーン３の上流側で取水路系２ａの主水路２０ａから分岐されている。余水路系２ｂは、発電機１０に過剰な水が供給された場合や、発電負荷が小さい場合（発電機１０に供給される水量が取水路系２ａの上流側より少ない場合）等、主水路２０ａから水を排出するようになっている。
【００２４】
具体的には、余水路系２ｂの底部は、主水路２０ａの底部より高い位置になるように形成されている。より詳しくは、余水路系２ｂの底部は、水力発電所が定常運転をしている時の水位（定常水位）に対して高い位置になるように形成されている。したがって、主水路２０ａの水位が定常水位を越えた場合、主水路２０ａの水は、主水路２０ａから分岐された余水路系２ｂを介して排出されるようになっている。
【００２５】
スクリーン３は、所定サイズに設定された複数の開口を形成したメッシュや、所定間隔を有して複数の棒材が配設されたもの等が採用される。図３に示すように、本実施形態においては、スクリーン３として、幅方向に所定間隔で配設された複数の棒材３０…を備えたバースクリーンが採用されている。スクリーン３は、棒材３０…間を水が流通する一方で、前記所定間隔よりも大きな塵芥が棒材３０…に引っ掛かり、塵芥が水圧鉄管２１ａ側に流れ込むのを防止できるようになっている。
【００２６】
本実施形態においては、スクリーン３の棒材３０…は、断面形状が上流側から下流側に向かって先細りしたくさび形状に形成されている。スクリーン３の棒材３０…の断面形状をくさび形状にすることで、該棒材３０，３０同士の間隔が下流側から上流側に向けて狭くなり、スクリーン３の下流側から上流側に向けて（図３の矢印Ｄ方向に）流れる（逆流する）水流を速くすることができるようになっている。
【００２７】
図１に戻り、本実施形態に係る発電用水路系２は、取水路系２ａの主水路２０ａにおける水位を計測すべく、スクリーン３の両側に（スクリーン３を介して取水路系２ａの主水路２０ａの上流側及び下流側に）二つの水位検知手段４，４を備える。
【００２８】
水位検知手段４，４は、種々のセンサ類を採用することができるが、本実施形態においては、フロート式の水位センサが採用されている。水位検知手段４，４は、それぞれ、スクリーン３を境にした上流側及び下流側の水位を計測するために使用される。
【００２９】
本実施形態に係る発電用水路系２の構成についての説明は以上の通りであり、次に、本実施形態に係る発電用水路系２におけるスクリーン３の除塵方法について説明する。
【００３０】
まず、通常の発電状態（塵芥がスクリーン３に堆積していない状態）では、スクリーン３の両側（スクリーン３の上流側及び下流側）において、主水路２０ａの水位は同じになっている。そして、スクリーン３の両側（スクリーン３の上流側及び下流側）に備えられた二つの水位検知手段４，４によって、スクリーン３よりも上流側及び下流側の水位を計測する。
【００３１】
本実施形態に係る発電用水路系２に配置されたスクリーン３の除塵方法においては、スクリーン３の上流側の水位が下流側の水位より高い場合、スクリーン３が塵芥によって目詰まりしていると判断するようにしている。すなわち、スクリーン３の上流側の水位が下流側の水位より高い場合、スクリーン３の上流側が塵芥によって遮られているため、スクリーン３の塵芥より下側の部分に流路が出来てしまい、主水路２０ａの水は、スクリーン３の上流側において塵芥より下側の部分からのみスクリーン３の下流側に流れるようになる。この場合、スクリーン３が塵芥によって目詰まりしていると判断するようにしている。
【００３２】
本実施形態においては、通常の発電状態（発電機１０運転中）から所定時間の間、発電機１０の運転開始や出力の変動時における水位変動（水位差）を考慮している。すなわち、所定時間（例えば、１０分間）単位で、スクリーン３の上流側と下流側との水位変動（水位差）を二つの水位検知手段４，４によって測定し、該水位変動（水位差）が所定範囲内である場合に、本実施形態においては、通常の発電状態から約１０分程度、発電機１０の運転開始や出力の変動である発電状態を維持するようにしている。
【００３３】
そして、本実施形態においては、この状態で、発電機１０の出力を、除塵するために少なくとも一回下げるようにする。図４に示すように、本実施形態においては、時間経過とともに発電機１０の出力を段階的に複数回下げるようにしている。例えば、二つの水位検知手段４，４によるスクリーン３の上流側及び下流側の水位差が、約５０ｃｍ程度になると、スクリーン３が塵芥によって目詰まりしていると判断し、発電機１０の出力を一回につき約１０分間程度下げるようにしている。なお、スクリーン３の上流側及び下流側の水位差の設定は、約数ｃｍ〜約数１０ｃｍの範囲で変動可能であり、発電機１０の出力低下（出力変動）の時間も、任意に設定可能である。
【００３４】
図４において、縦軸は時間（ｔ）、横軸は発電機１０の出力（ＶＡ）を示す。また、本実施形態においては、発電機１０の出力を３回（図４中の各ａ，ｂ，ｃ区間）下げるとともに、所定時間の間、発電機１０の出力を停止している（図４中のｄ区間）。本実施形態においては、発電機１０の所定時間内における出力変動時間（各ａ，ｂ，ｃ区間）は、それぞれ約１０分程度である。なお、本実施形態においては、発電機１０は、該発電機１０に設けられたガイドベーン（図示せず）によって、出力を低下（変動）又は停止されるようになっている。
【００３５】
このように発電機１０の出力を低下（変動）させると、取水路系２ａの主水路２０ａから発電機１０に行くべき水が行き場がなくなって逆流し（水撃が発生し）、水撃によって余水路系２ｂの分岐位置より下流側に配置されたスクリーン３近傍の水が波打つようになり、スクリーン３に対して堆積した塵芥が主水路２０ａの上流側に押し戻されることになる。
【００３６】
すなわち、塵芥は浮遊するため、該塵芥は水面近くでスクリーン３に堆積して当該部分での水の流れを遮ってしまう。そのため、スクリーン３の上流側と下流側との水位差が大きくなった場合に、スクリーン３に塵芥が堆積していると判断することができる。従って、上述の如く、スクリーン３の上流側の水位が下流側の水位より高い場合に、発電機１０の出力を少なくとも一回下げて取水路系２ａの水の流れを逆流させて（水撃を発生させる）ことで、上流側の水面近くでスクリーン３に堆積した塵芥（水の流れを阻害していた塵芥）が上流側に押し戻されることになる。
【００３７】
より具体的には、図２に示すように、発電機１０の出力に必要な水が少なくなるため、取水路系２ａの主水路２０ａの上流側から下流側に向けて水圧鉄管２１ａを流れる水流Ｂ（図２の点線Ｂ参照）が減少し、取水路系２ａの主水路２０ａの上流側から下流側に、水圧鉄管２１ａに向けて流れる水の水流Ｂの一部（水流Ｂ１）が、余水路系２ｂに向けて流れ、水流Ｂに抗して主水路２０ａの下流側から上流側に水撃が発生し、主水路２０ａに分岐された余水路系２ｂに向けて逆流する水流Ｃ（図２の点線Ｃ参照）によってスクリーン３の棒材３０…に対して堆積した塵介を上流側に押し戻すようにする。
【００３８】
その状態では、発電量が低下しているため、主水路２０ａの水位の上昇に伴って、押し戻された塵芥が余水路系２ｂから排出されることで、主水路２０ａのスクリーン３の除塵が行われる。上述のように、本実施形態においては、スクリーン３の各棒材３０…の断面形状を、上流側から下流側に向かって先細りしたくさび形状を有するようにしているため、棒材３０…同士の間隔が下流側から上流側に向けて狭くなり、スクリーン３のくさび形状を介してスクリーン３の下流側から上流側に向けて（図３の矢印Ｄ方向に）流れる（逆流する）水流を速くすることができるようになっている。
【００３９】
そして、上述のように、発電機１０に設けられたガイドベーン（図示せず）によって発電機１０の出力の低下（変動）を段階的に複数回行い、発電機１０の出力を所定時間（例えば、約１０分間）、停止させることで（図４のｅ区間）、発生する水撃の回数を増加させ、スクリーン３の棒材３０…に対して堆積した塵介が、水撃によって主水路２０ａを逆方向にさらに押されることで繰り返し押し戻すようにする。
【００４０】
そのようにして押し戻された塵芥を、主水路２０ａの上流側から下流側に、水圧鉄管２１ａに向けて流れる水の水流Ｂの一部（水流Ｂ１）、及び主水路２０ａの下流側から上流側に、余水路系２ｂに向かう水流Ｃによって余水路系２ｂに導いて、余水路系２ｂから塵芥を排出することで、主水路２０ａのスクリーン３の除塵が行われる。主水路２０ａのスクリーン３の除塵が終了すると、発電機１０に設けられたガイドベーンによって発電機１０の出力の低下（変動）又は停止を元に戻す（解除する）ことで、通常の発電状態にする。
【００４１】
以上のように、本実施形態に係る発電用水路系２に配置されたスクリーン３の除塵方法によれば、スクリーン３の上流側の水位が、下流側の水位より高い場合、発電機１０の出力を少なくとも一回下げるようにするため、取水路系２ａの主水路２０ａから発電機１０に行くべき水が行き場がなくなって逆流し（水撃が発生し）、水撃によって余水路系２ｂの分岐位置より下流側に配置されたスクリーン３近傍の水が波打つようになり、スクリーン３に対して堆積した塵芥が主水路２０ａの上流側に押し戻されることになる。
【００４２】
そして、この状態では発電機１０の発電量の低下に伴って、取水路系２ａの水位が上昇しているため、上流側に押し戻された塵芥が余水路系２ｂから排出されることになる。従って、作業者がスクリーン３の設置された場所にまで出向くことなく、該スクリーン３に堆積した塵芥を取り除くことができる。さらに、塵芥によるスクリーン３の目詰まりに起因して減少したスクリーン３の上流側から下流側に向かう水流Ｂの水量を増加させ、発電機１０による発電量を維持することができる。
【００４３】
また、本実施形態に係る発電用水路系２に配置されたスクリーン３の除塵方法によれば、スクリーン３の両側（スクリーン３の上流側及び下流側）に備えられた二つの水位検知手段４，４によって、それぞれ、スクリーン３よりも上流側及び下流側の水位を計測し、スクリーン３の上流側の水位が下流側の水位より高い場合、スクリーン３が塵芥によって目詰まりしていると判断し、発電機１０の出力を、段階的に複数回（本実施形態では３回）下げた後、所定時間（本実施形態では約１０分間）の間、停止させるようにしているため、発生する水撃の回数を増加させ、スクリーン３に対して堆積した塵芥が、主水路２０ａの上流側に押し戻されやすくなる。
【００４４】
また、本実施形態に係る発電用水路系２に配置されたスクリーン３の除塵方法において、スクリーン３として、幅方向に所定間隔で配設された複数の棒材３０…を備えたバースクリーンを採用し、各棒材３０…の断面形状を上流側から下流側に向かって先細りしたくさび形状にするようにしているため、棒材３０…同士の間隔が下流側から上流側に向けて狭くなり、スクリーン３の下流側から上流側に向けて流れる（逆流する）水流を速くすることで、水撃を大きくすることができ、スクリーン３に対して堆積した塵介をさらに押し戻しやすくすることができる。
【００４５】
また、発電中のスクリーン３の上流側と下流側との水位差が所定時間の間で所定範囲内である場合には、発電状態を維持するようにしているため、発電機１０の運転開始や出力の変動時にスクリーン３の上流側と下流側との水位差が発生しても、発電機１０の出力を不用意に低下させたり停止させたりすることを防止することができる。
【００４６】
なお、本発明は、上記実施形態に限定されるものではなく、本発明の要旨を逸脱しない範囲で適宜変動し得ることは勿論のことである。
【００４７】
上記実施形態において、水力発電設備１に必要な水量の水を供給する発電用水路系２は、給水源と水力式発電設備１とを繋ぐ取水路系２ａと、該取水路系２ａに分岐された余水路系２ｂとを備え、取水路系２ａは、給水源に繋がる主水路２０ａと、該主水路２０ａの最下流部に対して流体的に接続されて水力発電設備１の発電機１０に接続された水圧鉄管２１ａとを備えるように構成されているが、これに限定されず、例えば、取水路系２ａの途中に水圧鉄管２１ａより一段深くなるように形成された水槽を設けてもよい。
【００４８】
また、上記実施形態において、スクリーン３の上流側の水位が、下流側の水位より高い場合、発電機１０は、該発電機１０に設けられたガイドベーンによって、出力を低下（変動）又は停止されるようにしたが、これに限定されず、例えば、発電機１０は、該発電機１０に備えられたポンプ等によって、出力を低下（変動）又は停止されるように構成されてもよい。
【００４９】
上記実施形態において、スクリーン３の上流側の水位が、下流側の水位より高い場合、発電機１０の出力を３回下げるとともに、所定時間の間、発電機１０の出力を停止し、発電機１０の出力を停止しているが、これに限定されず、例えば、発電機１０の出力を、１回、或いは２回以上下げるとともに、所定時間の間、発電機１０の出力を停止し、発電機１０の出力を停止するようにしてもよい。
【００５０】
上記実施形態において、スクリーン３として、幅方向に所定間隔で配設された複数の棒材３０…を備えたバースクリーンを採用し、各棒材３０…の断面形状を上流側から下流側に向かって先細りしたくさび形状にするようにしたが、これに限定されず、発電機１０の出力を低下させた際に、スクリーン３の下流側から上流側に向けて発生する水撃を大きくすることで、スクリーン３（複数の棒材３０…）に対して堆積した塵芥を取り除きやすくするような構成であればよい。
【００５１】
上記実施形態において、水位検知手段４，４は、フロート式の水位センサが採用されているが、これに限定されず、例えば、水圧式水位計、電波式水位計等の水位計を採用してもよい。
【符号の説明】
【００５２】
１…水力発電設備、２…発電用水路系、２ａ…取水路系、２ｂ…余水路系、３…スクリーン、４…水位検知手段、１０…発電機、２０ａ…主水路、２１ａ…水圧鉄管、１０…発電機、３０…棒材、Ａ…領域、Ｂ，Ｂ１，Ｃ…水流、ａ，ｂ，ｃ，ｄ，ｅ…区間、ｔ…時間、ＶＡ…発電機の出力
【図１】
2012214978.tif 000003
【図２】
2012214978.tif 000004
【図３】
2012214978.tif 000005
【図４】
2012214978.tif 000006
【図５】
2012214978.tif 000007